(57)【特許請求の範囲】
【請求項１】
外枠とスライド用底板とからなる外枠体と、間仕切パネルの下端部を固定する内枠体を有し、該内枠体は前記外枠体内においてスライド用底板上を移動可能に配設されるとともに、外枠を貫通して螺合したボルトにより内枠体をスライド用底板に沿って変位自在としたことを特徴とする間仕切パネルの変位強度試験装置。
【請求項２】
外枠とスライド用底板とからなる外枠体と、間仕切パネルの下端部を挿入する挿入用部材を有する内枠体を有し、該内枠体は前記外枠体内においてスライド用底板上を移動可能に配設されるとともに、外枠を貫通して螺合したボルトにより内枠体をスライド用底板に沿って変位自在としたことを特徴とする間仕切パネルの変位強度試験装置。
【発明の詳細な説明】
【０００１】
【発明の属する技術分野】
本発明は、事務所等の部屋を仕切る間仕切パネルの変位強度試験装置に関し、とくに、簡便な手段により任意の方向に間仕切パネルに変位を与え、間仕切パネルの変位強度を試験することができる変位強度試験装置に関する。
【０００２】
【従来の技術】
従来、事務所等の部屋を仕切る間仕切パネルの変位強度試験装置としては、間仕切パネルの上端部を固定し、間仕切パネルの下端部を治具で挟持して、治具を一方向に変位させて、間仕切パネルに付加する引張力や圧縮力を測定することにより、地震時に間仕切パネルに発生する引張力や圧縮力を試験することが知られている。
【０００３】
ところが、従来においては、間仕切パネルの下端部を治具で挟持して、間仕切パネルに変位を与えるのに、大きな治具を準備しなければならず、しかも変位方向を変化させて試験を行なうのに手間がかかるという問題点があった。
【０００４】
【課題を解決するための手段】
このような目的を達成するために、本発明の請求項１に記載の発明は、外枠とスライド用底板とからなる外枠体と、間仕切パネルの下端部を固定する内枠体を有し、該内枠体は前記外枠体内においてスライド用底板上を移動可能に配設されるとともに、外枠を貫通して螺合したボルトにより内枠体をスライド用底板に沿って変位自在としたことを特徴とする。また、本発明の請求項１に記載の発明は、外枠とスライド用底板とからなる外枠体と、間仕切パネルの下端部を挿入する挿入用部材を有する内枠体を有し、該内枠体は前記外枠体内においてスライド用底板上を移動可能に配設されるとともに、外枠を貫通して螺合したボルトにより内枠体をスライド用底板に沿って変位自在としたことを特徴とする。
【０００５】
【課題を解決するための手段】
このような目的を達成するために、本発明の請求項１に記載の発明は、外枠とスライド用底板とからなる外枠体と、間仕切パネルの下端部を固定する内枠体を有し、外枠にボルトを螺合し、ボルトの螺合により内枠体を変位自在としたことを特徴とする。また、本発明の請求項２に記載の発明は、外枠とスライド用底板とからなる外枠体と、間仕切パネルの下端部を挿入する挿入用部材を有する内枠体を有し、外枠にボルトを螺合し、ボルトの螺合により内枠体を変位自在としたことを特徴とする。
【０００６】
【発明の実施の形態】
以下、図面に基づき本発明の実施例を詳細に説明する。
図１は本発明の一実施例による間仕切パネルの変位強度試験装置を示す斜視図、図２は本発明の別の実施例による間仕切パネルの変位強度試験装置を示す斜視図である。
【０００７】
図１に斜視図で示すように、本発明の変位強度試験装置１０は、外枠体１１と内枠体１２とからなる。外枠体１１は外枠１１ａとスライド用底板１１ｂとからなり、内枠体１２は内枠１２ａと、間仕切パネル２０の下端部を固定する固定用床部材１２ｂを有する。外枠１１ａ及び内枠１２ａの材質としては、ステンレス製又は鋼板等のアングル材を加工して製作すれば良い。外枠１１ａにナット３０を固着してあり、ナット３０にボルト３１を螺合し、ボルト３１の先端を内枠１２ａに当接してある。ボルト３１を回動することにより、内枠体１２は外枠体１１のスライド用底板１１ｂ上で変位自在となっている。図１において、変位強度試験装置１０の一方端部を図示したが、他端部も同様であるので省略した。外枠体１１のスライド用底板１１ｂとしては、滑りの良い材質が好ましく、ナイロン樹脂製の平板とすると、加工性、滑り性の面から好適である。
【０００８】
固定用床部材１２ｂとして、複数種類準備しておくと、固定用床部材１２ｂを交換するのみで、種々の床部材の仕様に対して変位強度試験を行なうことができるので、一層好適である。
【０００９】
本発明の変位強度試験装置１０を用いて、間仕切パネル２０の変位強度試験を行なうには、まず、間仕切パネル２０の下端を固定用床部材１２ｂに幅木等を用いて固定する。間仕切パネル２０の上部を固定した後、ボルト３１を回動して、内枠体１２を外枠体１１のスライド用底板１１ｂ上で変位させる。すると、間仕切パネル２０の下端部が変位するので、間仕切パネル２０に発生する引張力、圧縮力を測定し、地震時に発生する変位に対して、間仕切パネル２０が充分な強度を有しているか否かの評価を行なう。ボルト３０は相互に直交するよう配置してあるので、間仕切パネル２０に任意の方向の変位を与えることができる。
【００１０】
図２は、本発明の別の変位強度試験装置１０の実施例であって、変位強度試験装置１０は外枠体１１と内枠体１２とからなる。外枠体１１は外枠１１ａとスライド用底板１１ｂとからなり、内枠体１２は内枠１２ａと、間仕切パネル２０の下端部を挿入する挿入用部材１２ｃを有する。外枠１１ａ及び内枠１２ａの材質としては、ステンレス製又は鋼板等のアングル材を加工して製作すれば良い。外枠１１ａにナット３０を固着してあり、ナット３０にボルト３１を螺合し、ボルト３１の先端を内枠１２ａに当接してある。ボルト３１を回動することにより、内枠体１２は外枠体１１のスライド用底板１１ｂ上で変位自在となっている。図２において、変位強度試験装置１０の一方端部を図示したが、他端部も同様であるので省略した。外枠体１１のスライド用底板１１ｂとしては、滑りの良い材質が好ましく、ナイロン樹脂製の平板とすると、加工性、滑り性の面から好適である。
【００１１】
挿入用部材１２ｃとして、間仕切パネル２０の寸法に応じた挿入部を有するものを複数種類準備しておくと、挿入用部材１２ｃを交換するのみで、種々の寸法の間仕切パネル２０を挿入して変位強度試験を行なうことができるので、一層好適である。
【００１２】
本発明の変位強度試験装置１０を用いて、間仕切パネル２０の変位強度試験を行なうには、まず、間仕切パネル２０の下部に変位強度試験装置１０を設置し、間仕切パネル２０の下端を挿入用部材１２ｃに挿入する。間仕切パネル２０の上部を固定した後、ボルト３１を回動して、内枠体１２を外枠体１１のスライド用底板１１ｂ上で変位させる。すると、間仕切パネル２０の下端部が変位するので、間仕切パネル２０に発生する引張力、圧縮力を測定し、地震時に発生する変位に対して、間仕切パネル２０が充分な強度を有しているか否かの評価を行なう。ボルト３０は相互に直交するよう配置してあるので、間仕切パネル２０に任意の方向の変位を与えることができる。
【００１３】
【発明の効果】
本発明によれば、簡便な手段により任意の方向に間仕切パネルに変位を与え、間仕切パネルの変位強度を試験することができる等の利点がある。
【図面の簡単な説明】
【図１】本発明の一実施例による変位強度試験装置を示す斜視図
【図２】本発明の別の実施例による変位強度試験装置を示す斜視図
【符号の説明】
１０    変位強度試験装置
１１    外枠体
１１ａ  外枠
１１ｂ  スライド用底板
１２    内枠体
１２ａ  内枠
１２ｂ  固定用床部材
１２ｃ  挿入用部材
２０    間仕切パネル
３０    ナット
３１    ボルト
【図１】
0003626818.tif 000002
【図２】
0003626818.tif 000003